(57)【要約】【課題】布地の自然さを維持しつつ立体感を十分表現でき、装飾性及び洗濯等によっても形態安定性が失われない装飾部品と該装飾品を適用した衣服を提供すること、及び、前記装飾部品を簡単に作成することができる装飾部品の製造方法を提供すること。【解決手段】長手方向両端部３ａ、３ｂが被装飾品４の装飾取付箇所の両端に縫着され、かつ、長手方向中央部３ｃが長手方向軸線回りにひねりが付与された状態で被装飾品４の装飾取付箇所の中間箇所に縫着された布地製の細長い筒状体３と、該筒状体３の長手方向中央部３ｃに取り付けられる別の装飾体５とを備えている。筒状体３は、一様な幅の細長い布地２を幅方向に２つ折り状に重ね合わせて該布地２の幅方向両端部を長手方向全長に亘って縫着したものを裏返しされ、長手方向両端部と長手方向中央部との３箇所にタック縫い部Ｑ１、Ｑ２、Ｑ３が付与されている。【選択図】図６
2008057067.tif 000002
【特許請求の範囲】
【請求項１】
長手方向中央部が長手方向軸線回りにひねりが付与された状態で長手方向両端が被装飾品の装飾取付箇所の両端に縫着された布地製の細長い筒状体を備えていることを特徴とする装飾部品。
【請求項２】
前記筒状体は、該筒状体を展開した形状の布地の長手方向の両端部に幅方向寸法を詰めるタック縫い部が付与されており、かつ、該布地を幅方向に２つ折り状に重ね合わせて該布地の幅方向両端部を長手方向全長に亘って縫着したものを裏返しされていることを特徴とする請求項１に記載の装飾部品。
【請求項３】
長手方向両端が被装飾品の装飾取付箇所の両端に縫着され、かつ、長手方向中央部が長手方向軸線回りにひねりが付与された状態で被装飾品の装飾取付箇所の中間箇所に縫着された布地製の細長い筒状体と、該筒状体の長手方向中間部に取り付けられる別の装飾体とを備えていることを特徴とする装飾部品。
【請求項４】
前記筒状体は、該筒状体を展開した形状の布地の長手方向の両端部と中央部とに幅方向寸法を詰めるタック縫い部が付与されており、かつ、該布地を幅方向に２つ折り状に重ね合わせて該布地の幅方向両端部を長手方向全長に亘って縫着したものを裏返しされていることを特徴とする請求項３に記載の装飾部品。
【請求項５】
前記筒状体は、光沢感のある布地で作成されていることを特徴とする請求項１〜４の何れかに記載の装飾部品。
【請求項６】
前記請求項１〜５の何れかに記載された装飾部品を装着していることを特徴とするブラジャー。
【請求項７】
前記請求項１〜５の何れかに記載された装飾部品を装着していることを特徴とするキャミソール。
【請求項８】
前記請求項１〜５の何れかに記載された装飾部品を装着していることを特徴とするスリップ。
【請求項９】
前記請求項１〜５の何れかに記載された装飾部品を装着していることを特徴とするパンツ。
【請求項１０】
一様な幅の細長い布地の長手方向両端部に幅方向寸法を詰めるタック縫い部を施し、
上記布地全体を幅方向に２つ折り状に重ね合わせ、幅方向両端部を長手方向全長に亘って縫着して細長い筒状体を形成し、
該細長い筒状体を裏返しし、その長手方向両端部を個別に縫合して閉鎖された両端部を形成し、
前記筒状体の長手方向中央部を長手方向軸線回りにひねりを付与して前記筒状体の両端部を被装飾品の装飾取付箇所の両端に縫着して完成されることを特徴とする装飾部品の製造方法。
【請求項１１】
一様な幅の細長い布地の長手方向の両端部と中央部とに幅方向寸法を詰めるタック縫い部を施し、
上記布地全体を幅方向に２つ折り状に重ね合わせ、幅方向両端部を長手方向全長に亘って縫着して細長い筒状体を形成し、
該細長い筒状体を裏返しし、その長手方向両端部を個別に縫合して閉鎖された両端部を形成し、
該両端部を被装飾品の装飾取付箇所の両端に縫着し、該筒状体の長手方向中央部を長手方向軸線回りにひねりを付与して前記被装飾品の装飾取付箇所の中間箇所に縫着し、該中間箇所の上に別の装飾体を取り付けて完成されることを特徴とする装飾部品の製造方法。
【発明の詳細な説明】
【技術分野】
【０００１】
本発明は、衣服や服飾品等の被装飾品に取り付けられる装飾部品と該部品を装着したブラジャー、キャミソール、スリップ、パンツと該装飾部品の製造方法に関するものである。
【背景技術】
【０００２】
従来、衣服や服飾品等の被装飾品に取り付けられる装飾部品として、例えば、リボンの形状が多く用いられ、その製造方法としては、細長状のリボン用の布地をリボン状に結束したり折り曲げて縫合しリボン形状を形成したものを、衣服等の被装飾品に縫着されることが一般的である。
しかし、さらに装飾性を増すことを目的として、リボン部分や紐状部の布のねじれ等の形状をより立体的かつ大きく表現しようとした場合、上記従来の装飾部品では十分に表現することは難しく、また洗濯等により当初の立体的な形態が失われて形態安定性が保持できない等の課題があった。
【０００３】
リボンの立体的な形態安定性を改善するものとして、例えば特許文献１に示すように、合成樹脂の発泡シートを介挿して布地等のシート材を重ね合わせた積層体の周縁部を熱溶着して形成する装飾具において、上記装飾具をヘヤーリボン状やブローチ状のリボン状とするとともに結び部を形成するための結び片を装飾具の積層体に一体的に形成し、リボン状の装飾具の背部に留め金具を取着するとともに一体形成した結び片を折り曲げてその端部を装飾具に取着して結び部を形成するようにしたヘヤーリボン等の装飾具が提案されている。
【特許文献１】実公平６−１４６４１号公報
【発明の開示】
【発明が解決しようとする課題】
【０００４】
上記特許文献１の装飾具は、３層の積層体を平面状に打ち抜き、それを折り曲げて重ね合わせて形成されるものであるため、表面が扁平なものとならざるを得ず、立体感に乏しい上、布地の自然さが表現できないため、衣服等の被装飾品の素材に対して違和感が生じ、着心地に悪影響を及ぼす等の問題点がある。
本発明は、布地の自然さを維持しつつ立体感を十分表現でき、装飾性及び洗濯等によっても形態安定性が失われない装飾部品と該部品を装着したブラジャー、キャミソール、スリップ、パンツを提供すること、及び、前記装飾部品を簡単に作成することができる装飾部品の製造方法を提供することを目的としている。
【課題を解決するための手段】
【０００５】
前記目的を達成するために本発明は、長手方向中央部が長手方向軸線回りにひねりが付与された状態で長手方向両端が被装飾品の装飾取付箇所の両端に縫着された布地製の細長い筒状体を備えていることを特徴としている。
上記構成によれば、筒状体は、平紐とは異なり、円筒状に膨満する方向の復元力を常に備えており、これによって、筒状体の長手方向中央部が両端部に対してひねりを戻す方向の弾性復元力が生じ、布地の自然さを維持しつつ立体感を発現させることができる。しかも、この立体感は、洗濯等によっても失われることが無く、形態安定性に優れており、立体感を持った装飾性を長期間に亘って良好に維持させることができる。
【０００６】
前記筒状体は、該筒状体を展開した形状の布地の長手方向の両端部に幅方向寸法を詰めるタック縫い部が付与されており、かつ、該布地を幅方向に２つ折り状に重ね合わせて該布地の幅方向両端部を長手方向全長に亘って縫着したものを裏返しされていることを特徴としている。
上記構成によれば、筒状体は、長手方向の縫着部を裏返して用いられているために、常時、円筒状に膨らむような復元力が一層強く付与され、その上、タック縫い部が存在するため、このタック縫い部相互間で布地にひねりを戻す方向の弾性復元力が増長され、布地の自然さを維持しつつ立体感を一層強く発現させることができる。しかも、この立体感は、洗濯等によっても失われることが無く、形態安定性がさらに向上し、立体感を持った装飾性を長期間に亘って一層良好に維持させることができる。
【０００７】
また、本発明は、長手方向両端が被装飾品の装飾取付箇所の両端に縫着され、かつ、長手方向中央部が長手方向軸線回りにひねりが付与された状態で被装飾品の装飾取付箇所の中間箇所に縫着された布地製の細長い筒状体と、該筒状体の長手方向中間部に取り付けられる別の装飾体とを備えていることを特徴としている。
上記構成によれば、筒状体は、平紐とは異なり、円筒状に膨満する方向の復元力を常に備えており、これによって、筒状体の長手方向の両端部と中央部との間でひねりを戻す方向の弾性復元力が生じ、布地の自然さを維持しつつ立体感を発現させることができる。しかも、この立体感は、洗濯等によっても失われることが無く、形態安定性に優れており、立体感を持った装飾性を長期間に亘って良好に維持させることができる。さらに、筒状体の長手方向中央部に別の装飾体を取り付けることによって、該筒状体の長手方向中央部を被装飾品に縫着した箇所を覆い隠すことができる。
【０００８】
前記筒状体は、一様な幅の細長い布地の長手方向の両端部と中央部に幅方向寸法を詰めるタック縫い部が付与されており、かつ、該布地を幅方向に２つ折り状に重ね合わせて該布地の幅方向両端部を長手方向全長に亘って縫着したものを裏返しされ、いることを特徴としている。
上記構成によれば、筒状体は、長手方向の縫着部を裏返して用いられているために、常時、円筒状に膨らむような復元力が一層強く付与され、その上、タック縫い部が存在するため、このタック縫い部相互間で布地にひねりを戻す方向の弾性復元力が増長され、布地の自然さを維持しつつ立体感を一層強く発現させることができる。しかも、この立体感は、洗濯等によっても失われることが無く、形態安定性がさらに向上し、立体感を持った装飾性を長期間に亘って一層良好に維持させることができる。
【０００９】
前記筒状体は、光沢感のある布地で作成されていることを特徴としている。
上記構成によれば、被装飾品の装飾性を一層向上させることができる。
また、本発明は前記装飾部品を装着したブラジャーを提供するものである。
上記構成によれば、簡単な構成の装飾部品によってブラジャーに立体感に優れた装飾性を付与することができ、違和感を与えず、着心地を悪化させることもない。
また、本発明は、前記装飾部品を装着したキャミソールを提供するものである。
上記構成によれば、簡単な構成の装飾部品によってキャミソールに立体感に優れた装飾性を付与することができ、違和感を与えず、着心地を悪化させることもない。
【００１０】
また、本発明は、前記装飾部品を装着したスリップを提供するものである。
上記構成によれば、簡単な構成の装飾部品によってスリップに立体感に優れた装飾性を付与することができ、違和感を与えず、着心地を悪化させることもない。
また、本発明は、前記装飾部品を装着したパンツを提供するものである。
上記構成によれば、簡単な構成の装飾部品によってパンツに立体感に優れた装飾性を付与することができ、違和感を与えず、着心地を悪化させることもない。
また、本発明の装飾部品の製造方法は、一様な幅の細長い布地の長手方向両端部に幅方向寸法を詰めるタック縫い部を施し、
上記布地全体を幅方向に２つ折り状に重ね合わせ、幅方向両端部を長手方向全長に亘って縫着して細長い筒状体を形成し、
該細長い筒状体を裏返しし、その長手方向両端部を個別に縫合して閉鎖された両端部を形成し、
前記筒状体の長手方向中央部を長手方向軸線回りにひねりを付与して前記筒状体の両端部を被装飾品の装飾取付箇所の両端に縫着して完成されることを特徴としている。
【００１１】
上記構成によれば、布地の自然さを維持しつつ立体感及び形態安定性に優れた装飾部品を簡単に作成することができ、被装飾品への取付も容易である。
また、本発明の装飾部品の製造方法は、一様な幅の細長い布地の長手方向の両端部と中央部とに幅方向寸法を詰めるタック縫い部を施し、
上記布地全体を幅方向に２つ折り状に重ね合わせ、幅方向両端部を長手方向全長に亘って縫着して細長い筒状体を形成し、
該細長い筒状体を裏返しし、その長手方向両端部を個別に縫合して閉鎖された両端部を形成し、
該両端部を被装飾品の装飾取付箇所の両端に縫着し、該筒状体の長手方向中央部を長手方向軸線回りにひねりを付与して前記被装飾品の装飾取付箇所の中間箇所に縫着し、該中間箇所の上に別の装飾体を取り付けて完成されることを特徴としている。
【００１２】
上記構成によれば、布地の自然さを維持しつつ立体感及び形態安定性に優れた装飾部品を簡単に作成することができ、被装飾品への取付も容易である。しかも、筒状体の長手方向中央部に別の装飾体を取り付けることによって、該筒状体の長手方向中央部を被装飾品に縫着した箇所を覆い隠すことができる。
【発明の効果】
【００１３】
本発明の装飾部品は、布地の自然さを維持しつつ立体感を十分表現することができ、装飾性及び洗濯等に対する形態安定性に優れており、被装飾品に対する素材の違和感がなく、着心地に影響しないため、洋服等のアウターウエアに限定されず、ブラジャー、キャミソール、スリップ、パンツ等の下着の装飾部品としても適用可能である。また、本発明の製造方法は、布地を適当な折り方と縫着により立体的な形態を形成したものであり、簡単に作成することができ、被装飾品への取付も容易である。
【発明を実施するための最良の形態】
【００１４】
以下、本発明の実施形態を図面に基づいて説明する。
図１（Ａ）〜図１（Ｄ）及び図２（Ａ）〜図２（Ｄ）は、本発明の第１実施形態に係る装飾部品１の製造方法の工程順序説明図であって、本発明の第１の実施形態に係る装飾部品１は、これらの図に示すように、一様な幅の細長い布地２の長手方向両端部に幅方向中心から幅方向に対称の位置に印しＰ１、Ｐ１、Ｐ２、Ｐ２、Ｐ３、Ｐ３、Ｐ４、Ｐ４を施し、この印しＰ１とＰ１、Ｐ２とＰ２、Ｐ３とＰ３、Ｐ４とＰ４同士を合わせて幅方向中央から幅方向両端に向けて前記布地２を断面Ｗ字状に折り重ねて、この部分に本縫いその他の縫い方で片側２箇所ずつタック縫い部Ｑ１、Ｑ２、Ｑ３、Ｑ４を施して幅方向寸法を詰める（図１（Ｂ）参照）。その上で、布地２全体をタック縫い部Ｑ１、Ｑ２、Ｑ３、Ｑ４の折り重ね方向と同じ幅方向に２つ折り状に重ね合わせ、幅方向両端部を長手方向全長に亘ってオーバーロックミシンによりオーバーロック縫いその他の縫い方で長手方向縫着部Ｑ５を形成して細長い筒状体３を形成する（図１（Ｃ）参照）。この細長い筒状体３を裏返しし（図１（Ｄ）参照）、その長手方向両端部のタック縫い部Ｑ１、Ｑ２と、Ｑ３、Ｑ４と長手方向縫着部Ｑ５とを幅方向中央に重ね合わせた状態で該長手方向両端部を個別にオーバーロックミシンでオーバーロック縫いその他の縫い方で縫合して閉鎖された両端部３ａ、３ｂを形成する（図２（Ａ）参照）。そして、該両端部３ａ、３ｂを図２（Ｂ）に示すように被装飾品４の装飾取付箇所の両端に所定の縫い代（例えば５ｍｍ程度）を設定して重ね合わせ、この重ね合わせ部を図２（Ｃ）に示すように矢印２箇所で千鳥縫いその他の縫い方で縫着する。その際、筒状体３の長手方向両端部３ａ、３ｂをひねって長手方向中央部に長手方向軸線回りのひねりが形成されるようにして前記被装飾品４の装飾取付箇所の両端に縫着する。
【００１５】
図２（Ｄ）及び図３（Ａ）（Ｂ）は、本発明の第１の実施形態に係る装飾部品１をパンツ４に適用した場合を例示しており、この場合、筒状体３の両端部３ａ、３ｂをパンツ４の前身頃と後身頃とを左右両側のウエスト部で接合する部材として使用している。この場合、上記筒状体３の両端部３ａ、３ｂは、パンツの前身頃生地及び後身頃生地の内側（肌側）に重ね合わせて縫着しており、この筒状体３の縫着後にパンツの前身頃生地の上縁内側と後身頃生地の上縁内側とに沿ってウエストゴム４ａが縫着される。このウエストゴム４ａは、筒状体３の取付部分では除かれており、装飾性が強調できるように縫製されている。
【００１６】
第１の実施形態に係る装飾部品１は、以上であるが、筒状体３を構成する布地２の展開形状は、図１では、単純な長方形ではなく、女性用パンツの両側ウエスト部に適合させて長手方向に湾曲した形状とし、両端の裁断形状も片側２箇所ずつのタック縫い部を考慮して４段のジグザグ形状にした場合を例示している。しかし、適用する被装飾品４の取付箇所の形状や縫製の都合などを考慮して筒状体３の幅、長さ、形状、タック縫い部の形成位置を適宜設定すればよい。
図４（Ａ）〜図４（Ｅ）は、本発明の第２の実施形態に係る装飾部品１の筒状体３を製造する工程順序説明図であって、この場合は、一様な幅の細長い布地２の長手方向の両端部と中央部とに幅方向中心線ｎーｎから幅方向に対称の位置に印しＰ１、Ｐ１、Ｐ２、Ｐ２、Ｐ３、Ｐ３、Ｐ４、Ｐ４、Ｐ５、Ｐ５、Ｐ６、Ｐ６を施し、この印しＰ１とＰ１、Ｐ２とＰ２、Ｐ３とＰ３、Ｐ４とＰ４、Ｐ５とＰ５、Ｐ６とＰ６同士を合わせて幅方向中央から幅方向両端に向けて前記布地２を断面Ｗ字状に折り重ねて、この部分に本縫いその他の縫い方でタック縫い部Ｑ１、Ｑ２、Ｑ３を施して幅方向寸法を詰め（図４（Ｂ）参照）、その上で、布地２全体をタック縫い部Ｑ１、Ｑ２、Ｑ３の折り重ね方向と同じ幅方向に２つ折り状に重ね合わせ、幅方向両端部を長手方向全長に亘ってオーバーロックミシンによりオーバーロック縫いその他の縫い方で長手方向縫着部Ｑ４を形成して細長い筒状体３を形成し（図４（Ｃ）参照）、この細長い筒状体３を裏返しし（図４（Ｄ）参照）、その長手方向両端部のタック縫い部Ｑ１、Ｑ２と長手方向縫着部Ｑ４とを幅方向中央に重ね合わせた状態で該長手方向両端部を個別にオーバーロックミシンでオーバーロック縫いその他の縫い方で縫合して閉鎖された両端部３ａ、３ｂを形成し（図４（Ｅ）参照）、該両端部３ａ、３ｂを図５（Ａ）に示すように被装飾品４の装飾取付箇所の両端に縫着し、続いて図５（Ｂ）に示すように該筒状体３の長手方向中央部３ｃを長手方向軸線回りにひねりを付与して前記被装飾品４の装飾取付箇所の中間箇所に本縫いその他の縫い方で縫着し、該中間箇所の上に図５（Ｃ）に示すような別の装飾体５を取り付けて完成品とされる。
【００１７】
このように本発明の第２の実施形態に係る装飾部品１は、長手方向両端部３ａ、３ｂが被装飾品４の装飾取付箇所の両端に縫着され、かつ、長手方向中央部３ｃが長手方向軸線回りにひねりが付与された状態で被装飾品４の装飾取付箇所の中間箇所に縫着された布地製の細長い筒状体３と、該筒状体３の長手方向中央部３ｃに取り付けられる別の装飾体５とを備えている。
前記第１の実施形態及び第２の実施形態における筒状体３は、サテン、その他、天然繊維、合成繊維、化学繊維の単独又は混合により製造された光沢感のある布地で作成されている。
【００１８】
前記被装飾品４の装飾取付箇所の両端への筒状体３の縫着は、図５（Ａ）に示すように該筒状体３の両端部３ａ、３ｂを被装飾品４側に折り返して本縫いその他の縫い方で縫着してある。
前記別の装飾体５は、蝶結びしたリボンの場合を示しているが、これは、花状に結束したリボンや、その他の形状の布地製装飾体とすることができ、素材と色彩は、前記筒状体３と同一又は異なるものであってもよい。
前記被装飾品４は、図６に示すようにブラジャーであってもよく、その場合、前記装飾取付箇所は、第２の実施形態の装飾部品１の場合では、ブラジャーの両側のカップの中間部下側から両側斜め上の脇部に至る箇所とするのがよいが、これに制約されない。また、第１の実施形態の装飾部品１を適用してもよいことは勿論である。
【００１９】
また、前記被装飾品４は、図７に示すようにスリップ又はキャミソールであってもよく、その場合、第２の実施形態の装飾部品１を適用する場合では、前記装飾取付箇所は、胸部両側のカップの中間部下側から両側脇部に至る箇所が好ましいが、これに制約されない。また、第１の実施形態の装飾部品１を適用してもよいことは勿論である。
本発明の実施形態は以上からなるが、本発明は、上記実施形態にのみ制約されるものではなく、特許請求の範囲に記載された事項の範囲内で自由に変更して実施することができる。例えば、被装飾品４は、ブラジャー、キャミソール、スリップ、パンツ等の下着類の他、外着や服飾品、身回り品等に適用可能である。また、筒状体３は、適用箇所によって、生地素材、色彩、幅、長さ、展開形状、ひねりの回数等を適用箇所の形状に適合するように適宜設定変更して実施すればよい。
【図面の簡単な説明】
【００２０】
【図１】（Ａ）〜（Ｄ）は本発明の第１の実施形態に係る装飾部品の製造工程の前半の説明図である。
【図２】（Ａ）〜（Ｄ）は本発明の第１の実施形態に係る装飾部品の製造工程の後半の説明図である。
【図３】（Ａ）（Ｂ）は本発明の第１の実施形態に係る装飾部品をパンツに適用した場合の正面図と側面図である。
【図４】（Ａ）〜（Ｅ）は本発明の第２の実施形態に係る装飾部品の筒状体の製造工程順序を示す概略説明図である。
【図５】（Ａ）（Ｂ）は図４の筒状体を被装飾品に取り付ける工程を示す概略説明図であり、（Ｃ）は別の装飾体の概略説明図である。
【図６】本発明の装飾部品をブラジャーに適用した場合の概略説明図である。
【図７】本発明の装飾部品をキャミソールに適用した場合の概略説明図である。
【符号の説明】
【００２１】
１    本発明の装飾部品
２    布地
３    筒状体
４    被装飾品
５    別の装飾体
【図１】
2008057067.tif 000003
【図２】
2008057067.tif 000004
【図３】
2008057067.tif 000005
【図４】
2008057067.tif 000006
【図５】
2008057067.tif 000007
【図６】
2008057067.tif 000008
【図７】
2008057067.tif 000009